(57)【特許請求の範囲】
【請求項１】
中空糸束の端部とケーシング本体の内面とが充填剤によって固定された固定領域を有する中空糸型フィルタを被検体として、前記充填剤の充填量を検査する充填量検査装置であって、
前記ケーシング本体の中心軸を中心に前記被検体を回転させる回転装置と、
前記被検体の外周面に向けて光を照射する光源と、
前記被検体からの反射光を受光して撮像する撮像装置と、
前記撮像装置から出力される画像を基に充填剤の充填量を検査し固定状態を判定する判定装置と、
を有し、
前記判定装置は、前記被検体の長手方向の異なる位置に対応する前記充填剤の充填量を検査するための２つの検査領域が記憶され、前記撮像装置から出力される画像の充填剤の際と前記２つの検査領域との位置関係に応じて、固定状態の合否を判定することを特徴とする充填量検査装置。
【請求項２】
前記充填剤が有色であり、前記ケーシング本体が透明であることを特徴とする請求項１に記載の充填量検査装置。
【請求項３】
前記撮像装置は、ラインスキャンカメラであり、
前記光源は、前記撮像装置の撮像視野線に対して対称に設けられ、前記被検体の外周面を２方向から照明する２つの光源からなることを特徴とする請求項１または２に記載の充填量検査装置。
【請求項４】
中空糸束の端部とケーシング本体の内面とが充填剤によって固定された固定領域を有する被検体を、前記ケーシング本体の中心軸を中心に前記被検体を回転させ、前記被検体の外周面に向けて光を照射し、前記被検体からの反射光を受光して撮像して、撮像された画像に基づき、充填剤の充填量を検査する方法であって、
前記被検体の長手方向の異なる位置に対応する前記充填剤の充填量を検査するための２つの検査領域が設定され、撮像された画像の充填剤の際と前記２つの検査領域との位置関係に応じて、固定状態の合否を判定することを特徴とする充填量検査方法。
【請求項５】
前記充填剤が有色であり、前記ケーシング本体が透明であることを特徴とする請求項４に記載の充填量検査方法。
【請求項６】
ラインスキャンカメラを用いて撮像し、前記ラインスキャンカメラの撮像視野線に対して対称に設けられ前記被検体の外周面を２方向から光を照明することを特徴とする請求項４または５に記載の充填量検査方法。
【発明の詳細な説明】
【技術分野】
【０００１】
本願発明は、特に、中空糸型フィルタにおける充填剤の充填量検査装置および中空糸型フィルタにおける充填剤の充填量検査方法に関する。
【背景技術】
【０００２】
例えば、中空糸束を備えた中空糸型フィルタは、ケーシング本体と、ケーシング本体内に装填される中空糸束と、ケーシング本体の両端部にそれぞれ装着され流体の導出入口を備えた蓋部材とを有する。一般に、中空糸束の端部は、ケーシング本体内面に充填剤を用いて固定され、次いで、中空糸束が充填されたケーシング本体に蓋部材が装着されて、中空糸型フィルタが形成される。ところで、従来、充填剤による中空糸束の端部とケーシング本体との固定状態は、目視によって判定されていた。
【０００３】
一方、特許文献１には、透明な内筒とこれに同軸に外嵌した透明な外筒とが、両筒間の隙間に配された透明な接合材を介して接合される二重筒の接合状態を検出する方法において、二重筒の溶着部分に向けて、外筒の上方から線状の光を照射し、内筒内に配置された反射体から反射した光をラインセンサによって検出することによって接合状態を判断する方法が記載されている。特に、特許文献１では、溶着部分に空気層がない場合にのみ反射光がラインセンサによって検出される。
【０００４】
また、特許文献２には、多数本の中空糸膜からなる中空糸膜束を樹脂でポッティングした後、ポッティング部に片側から切断刃により横断面方向に切断し、多数の中空糸膜の開口端と中空糸膜開口端どうしを繋ぐポッティング樹脂部とが配置された中空糸膜モジュール切断面を形成し、該中空糸膜モジュール切断面に光りを照射し、反射光を受光して撮像し、撮像に基づき、中空糸膜モジュール切断面の良否判定を行うための端面検査方法が記載されている。
【０００５】
特許文献３には、略円筒状の外周面を有する容器を自転させる回転機構と、自転時に容器の外周面の側方に位置するように固定された少なくとも１つのラインカメラとを設け、回転機構により容器を自転させながら、ラインカメラで容器の外周面を撮像し、得られた容器の外周面の画像データに基づき、外観検査の合否を判別する外観検査装置が記載されている。
【先行技術文献】
【特許文献】
【０００６】
【特許文献１】特開平８−２６１９４６号公報
【特許文献２】特開２００８−２４６３７８号公報
【特許文献３】特開２０１０−１５１５８７号公報
【発明の概要】
【発明が解決しようとする課題】
【０００７】
ところで、上述したように、従来、中空糸型フィルタにおいて、充填剤による中空糸束の端部とケーシング本体との固定状態は、目視により判定されていた。しかし、作業者による目視検査は、作業者に負荷がかかることから、検査の自動化が望まれている。また、客観的なしきい値に基づいて、中空糸束の端部とケーシング本体との固定部分における充填剤の充填量を検査し、前記固定状態の合否判定を行うことも望まれている。
【０００８】
本発明は、以上のような状況を鑑みてなされたものであり、充填剤による中空糸束の端部とケーシング本体との固定状態の検査を自動化し、客観的なしきい値を基に充填剤の充填量を検査し、固定状態の合否を判定可能な、中空糸型フィルタにおける充填剤の充填量検査装置および中空糸型フィルタにおける充填剤の充填量検査方法を提供することを目的とする。
【課題を解決するための手段】
【０００９】
本発明者らは、上記課題を解決するために鋭意検討した結果、以下に示す本発明を完成するに至った。本願発明は、以下の特徴を有する。
【００１０】
（１）中空糸束の端部とケーシング本体の内面とが充填剤によって固定された固定領域を有する中空糸型フィルタを被検体として、前記充填剤の充填量を検査する充填量検査装置であって、前記ケーシング本体の中心軸を中心に前記被検体を回転させる回転装置と、前記被検体の外周面に向けて光を照射する光源と、前記被検体からの反射光を受光して撮像する撮像装置と、前記撮像装置から出力される画像を基に充填剤の充填量を検査し固定状態を判定する判定装置と、を有し、前記判定装置は、前記被検体の長手方向の異なる位置に対応する前記充填剤の充填量を検査するための２つの検査領域が記憶され、前記撮像装置から出力される画像の充填剤の際と前記２つの検査領域との位置関係に応じて、固定状態の合否を判定する充填量検査装置である。
【００１２】
（２）前記充填剤が有色であり、前記ケーシング本体が透明である、上記（１）に記載の充填量検査装置である。
【００１３】
（３）前記撮像装置は、ラインスキャンカメラであり、前記光源は、前記撮像装置の撮像視野線に対して対称に設けられ、前記被検体の外周面を２方向から照明する２つの光源からなる、上記（１）または（２）に記載の充填量検査装置である。
【００１４】
（４）中空糸束の端部とケーシング本体の内面とが充填剤によって固定された固定領域を有する被検体を、前記ケーシング本体の中心軸を中心に前記被検体を回転させ、前記被検体の外周面に向けて光を照射し、前記被検体からの反射光を受光して撮像して、撮像された画像に基づき、充填剤の充填量を検査する方法であって、前記被検体の長手方向の異なる位置に対応する前記充填剤の充填量を検査するための２つの検査領域が設定され、撮像された画像の充填剤の際と前記２つの検査領域との位置関係に応じて、固定状態の合否を判定する充填量検査方法である。
【００１６】
（５）前記充填剤が有色であり、前記ケーシング本体が透明である、上記（４）に記載の充填量検査方法である。
【００１７】
（６）ラインスキャンカメラを用いて撮像し、前記ラインスキャンカメラの撮像視野線に対して対称に設けられ前記被検体の外周面を２方向から光を照明する、上記（４）または（５）に記載の充填量検査方法である。
【発明の効果】
【００１８】
本願発明における充填量検査装置によれば、中空糸型フィルタの製造において、充填剤による中空糸束の端部とケーシング本体との固定状態の検査が自動化され、客観的なしきい値を基に充填剤の充填量が検査され、中空糸束の端部とケーシング本体の内面の固定状態の合否が判定される。
【００１９】
本願発明における充填量検査方法によれば、中空糸型フィルタの製造時に、充填剤による中空糸束の端部とケーシング本体との固定状態の検査が自動化され、客観的なしきい値を基に充填剤の充填量が検査されて、中空糸束の端部とケーシング本体の内面の固定状態の合否を判定することができる。
【図面の簡単な説明】
【００２０】
【図１】本実施形態に係る中空糸型フィルタにおける充填剤の充填量検査装置の一例を例示する概略構成図である。
【図２】本実施形態に係る中空糸型フィルタにおける充填剤の充填量検査装置の光源の配置と撮像装置の配置の一例を説明する図である。
【図３】本実施形態に係る中空糸型フィルタにおける充填剤の充填量検査装置における、充填剤の充填量の検査方法の一例を説明する図である。
【図４】本実施の形態に係る中空糸型フィルタにおける充填剤の充填量検査方法における、充填剤の充填量の検査および固定状態の合否判定の一例を説明するフロー図である。
【発明を実施するための形態】
【００２１】
図１に、本実施形態に係る充填量検査装置１００の一例を例示する。充填量検査装置１００は、中空糸束１４の端部とケーシング本体１６の内面とが充填剤によって固定された固定領域１２を有する中空糸型フィルタを被検体１０として、前記充填剤の充填量を検査する充填量検査装置であって、ケーシング本体１６の中心軸を中心に被検体１０を回転させる回転装置と、被検体１０の外周面に向けて光を照射する光源３０と、被検体１０からの反射光を受光して撮像する撮像装置４０と、撮像装置４０から出力される画像を基に充填剤の充填量を検査し固定状態を判定する判定装置８０とを有する。
【００２２】
また、本実施の形態において、回転装置は、被検体１０が載置されて回転可能な回転テーブル２０と、回転テーブル２０を回転させる回転軸に連結されたモータ２２とからなる。また、本実施の形態では、前記充填剤は有色の樹脂を用い、また、ケーシング本体１６は透明な部材を用いた。また、本実施の形態では、撮像装置４０として、例えば、ラインスキャンカメラを用いて、連続的に被検体１０を撮像している。さらに、本実施の形態では、有色の充填剤と透明のケーシング本体１６との画像をより鮮明にするため、光源３０は、図２に示すように、撮像装置４０の撮像視野線（図１，２の点線矢印）に対して対称に設けられた、被検体１０の外周面に対して２方向から照明する２つの光源３０ａ，３０ｂを用いている。ここで、光源３０ａ，３０ｂは、撮像装置４０の撮像視野線（図１，２の点線矢印）に対して、それぞれ角度θになるように設置され、被検体１０を２方向から照射している。角度θは、被検体１０の直径によっても異なるが、例えば被検体１０の直径が３０ｍｍ〜６０ｍｍの範囲である場合、角度θは１５〜３０°の範囲内であることが好ましい。また、被検体１０の直径が３０ｍｍ〜６０ｍｍの範囲である場合、光源３０ａ，３０ｂは、被検体１０の表面の照度が、以下に示す表１の場合であることが好ましい。なお、角度θが１５°未満の場合には、ケーシング本体１６表面で反射してしまい、ケーシング本体１６内が観察できない。一方、角度θが３０°を超える場合には、中空糸束１４が背景として写り込んでしまう。また、表１に示す照度の上限を超えて明るい場合には、充填剤の充填領域が見えない（例えば、充填剤がポリウレタンの場合、白飛びしてしまう）。一方、表１に示す照度の下限を下回る場合には、中空糸束１４が背景に移り込んでしまう。
【００２３】
【表１】
0005793433.tif 000002
【００２４】
光源３０，３０ａ，３０ｂは、いずれも、可視光から紫外光までの光を照射可能であって、充填剤の組成に応じて、適宜波長が選択される。
【００２５】
また、回転装置は、モータ２２を用いて、回転テーブル２０をほぼ定速で回転させ、回転速度に応じて、撮像装置４０としてのラインスキャンカメラのシャッタ速度を制御して、被検体１０を撮像している。なお、撮像される画像は、被検体１０の全体であってもよいが、例えば、本実施の形態では、主に、充填剤による固定領域１２およびその周辺部分の透明なケーシング本体１６の一部を含む画像を例示することとする。
【００２６】
さらに、図１から図３を用いて、本実施の形態における判定装置８０について説明する。判定装置８０は、図３に示すように、被検体１０の長手方向（すなわち、図３のＹ方向）の異なる位置に対して、予め定められた基準の充填剤の充填量になっているか否かを判定するための、第１の領域６０と第２の領域７０とからなる２つの検査領域が、記憶されている。ここで、図３に示すＹ方向は、被検体１０の長手方向に相当し、Ｙ方向の矢印方向は、回転テーブル２０上の被検体１０の上方から下方を示している。一方、図３に示すＸ方向は、被検体１０の外周方向に相当し、Ｘ方向の矢印は、回転装置により回転しながら撮像される被検体１０の外周面の方向を示している。さらに、本実施の形態では、撮像装置４０から出力された画像５０は、被検体１０の上方側に位置する固定領域１２と、ケーシング本体１６の一部が収められ、有色の充填剤が充填された固定領域１２は濃色として、また、充填剤が充填されていない部分（透明なケーシング本体１６のみの部分）は淡色として、表されている。従って、画像５０において、充填領域である固定領域１２と非充填領域との濃淡の境目８２が、充填剤の際（固定領域１２の下端面）として判別される。
【００２７】
さらに、判定装置８０は、上述した第１の領域６０を、固定領域１２における充填剤の充填量が過少の領域として、一方、第２の領域７０を、固定領域１２における充填剤の充填量が過多の領域として、予め記憶している。さらに、判定装置８０は、ケーシング本体１６の上端部から第１の領域６０を超え、第２の領域７０の手前までの範囲を、上述した予め定められた基準の充填剤の充填量に相当する『適正充填領域』として、記憶している。
【００２８】
次に、本実施の形態における充填剤の充填量検査装置１００を用いた、充填量検査方法の一例を、図１から図４を用いて以下に説明する。モータ２２により回転テーブル２０を定速で回転させて、被検体１０を回転させ、この回転速度に応じて、撮像装置４０であるラインスキャンカメラのシャッタ速度を制御しながら、被検体１０の撮像を行い、判定装置８０は、外周面の画像を取得する（Ｓ１００）。次に、判定装置８０は、図３に示す充填領域である固定領域１２と非充填領域との濃淡の境目８２が第１の領域６０内に存在するか否か判定し（Ｓ１０２）、充填領域である固定領域１２と非充填領域との濃淡の境目８２が第１の領域６０に存在する場合、すなわち、図３の点線で囲ったＩＩＩの部分が存在する場合には、充填剤の充填量が基準値より少ないと判定し、点線で囲ったＩＩＩの部分における中空糸束１４の端部とケーシング本体１６の内面の充填剤による固定状態は、不良であると判定する（Ｓ１０４）。さらに、判定装置８０は、図３に示す充填領域である固定領域１２と非充填領域との濃淡の境目８２が第１の領域６０内には存在しないが、第２の領域７０に存在すると判定した場合（Ｓ１０６）、すなわち、図３の点線で囲ったＩ，ＩＩ，ＩＶの部分が存在すると判定した場合には、充填剤の充填量が基準値より多いと判定し、点線で囲ったＩ，ＩＩ，ＩＶの部分における中空糸束１４の端部とケーシング本体１６の内面との充填剤による固定状態は、不良であると判定する（Ｓ１０８）。一方、判定装置８０は、図３に示す充填剤の際８２が第１の領域６０および第２の領域内７０のいずれの領域内にも存在しないと判定した場合、その個所における中空糸束１４の端部とケーシング本体１６の内面との充填剤による固定状態は、合格であると判定する（Ｓ１１０）。なお、本実施の形態では、原則として、中空糸束１４の端部とケーシング本体１６の内面の充填剤による固定領域１２における充填剤の際８２は、第２の領域７０を超えないものとする。
【符号の説明】
【００２９】
１０  被検体、１２  固定領域、１４  中空糸束、１６  ケーシング本体、２０  回転テーブル、２２  モータ、３０，３０ａ，３０ｂ  光源、４０  撮像装置、５０  画像、６０  第１の領域、７０  第２の領域、８０  判定装置、８２  濃淡の境目、１００  充填量検査装置。
【図１】
0005793433.tif 000003
【図２】
0005793433.tif 000004
【図３】
0005793433.tif 000005
【図４】
0005793433.tif 000006